(57)【要約】【課題】簡便な構成で車両の入庫可否を判断することのできる入庫支援システム、及びその入庫支援方法並びに入庫支援プログラム、機械式駐車装置を提供することを目的とする。【解決手段】機械式駐車装置へ入庫を行う車両の入庫支援システムであって、車両側と通信を行うことによって、車両の諸元情報を取得する通信部５４と、通信部５４にて取得した諸元情報に基づいて、車両が機械式駐車装置への入庫が可能か否かを判定する判定部５３とを備える。【選択図】図６
2020041288.tif 000002
【特許請求の範囲】
【請求項１】
機械式駐車装置へ入庫を行う車両の入庫支援システムであって、
車両側と通信を行い、前記車両の諸元情報を取得する通信部と、
前記諸元情報に基づいて、前記機械式駐車装置への入庫が可能か否かを判定する判定部と、
を備えた入庫支援システム。
【請求項２】
前記通信部は、前記車両側と通信を行うことにより、前記車両が備える格納部に格納されている前記車両の前記諸元情報を取得する請求項１に記載の入庫支援システム。
【請求項３】
前記諸元情報には、車両寸法及び車両重量の少なくとも一方が含まれており、
前記判定部は、前記諸元情報と、前記機械式駐車装置へ入庫可能な車両規格とに基づいて、前記車両の入庫の可否を判定する請求項１または２に記載の入庫支援システム。
【請求項４】
前記諸元情報には、車種情報が含まれており、
前記判定部は、前記諸元情報と、前記機械式駐車装置へ入庫可能な車種リストとに基づいて、前記車両の入庫の可否を判定する請求項１または２に記載の入庫支援システム。
【請求項５】
前記諸元情報には、車種情報が含まれており、
前記判定部は、前記車種情報から前記車両の車両寸法及び車両重量の少なくとも一方を特定し、前記機械式駐車装置へ入庫可能な車両規格に基づいて、前記車両の入庫の可否を判定する請求項１または２に記載の入庫支援システム。
【請求項６】
前記諸元情報には、前記車両の識別情報が含まれており、
前記判定部は、前記識別情報に基づいて、前記車両の入庫の可否を判定する請求項１または２に記載の入庫支援システム。
【請求項７】
前記通信部は、前記判定部における判定結果を前記車両へ送信し、前記車両における通知手段に通知させる請求項１から６のいずれか１項に記載の入庫支援システム。
【請求項８】
前記判定部は、前記諸元情報に基づいて、前記車両が自動運転制御可能か否かを判定し、前記車両が自動運転制御可能である場合に、入庫可能と判定した前記機械式駐車装置まで前記車両を誘導する誘導制御信号を生成し、
前記通信部は、前記誘導制御信号を前記車両へ送信する請求項１から７のいずれか１項に記載の入庫支援システム。
【請求項９】
機械式駐車装置へ入庫を行う車両の入庫支援システムであって、
前記車両を撮像することによって、前記車両の諸元情報を取得する撮像部と、
前記諸元情報に基づいて、前記機械式駐車装置への入庫が可能か否かを判定する判定部と、
を備えた入庫支援システム。
【請求項１０】
前記撮像部は、前記車両を撮像することにより、前記諸元情報として前記車両の識別情報を取得する請求項９に記載の入庫支援システム。
【請求項１１】
前記判定部は、前記機械式駐車装置が複数設けられている場合に、前記諸元情報に基づいて、前記車両が入庫可能な前記機械式駐車装置を特定する請求項１から１０のいずれか１項に記載の入庫支援システム。
【請求項１２】
前記判定部は、前記機械式駐車装置が複数設けられている場合に、前記諸元情報に基づいて前記車両が入庫可能な前記機械式駐車装置を特定すると共に、前記識別情報に基づいて前記車両の入庫頻度を推定し、入庫頻度が所定値よりも高い場合には、特定した前記機械式駐車装置のうち前記車両に最も距離が近い前記機械式駐車装置を選定する請求項６または１０に記載の入庫支援システム。
【請求項１３】
前記判定部における判定結果を通知する通知部を備える請求項１から１２のいずれか１項に記載の入庫支援システム。
【請求項１４】
請求項１から１３のいずれか１項に記載の入庫支援システムを備えた機械式駐車装置。
【請求項１５】
機械式駐車装置へ入庫を行う車両の入庫支援方法であって、
車両側と通信を行い、前記車両の諸元情報を取得する通信工程と、
前記諸元情報に基づいて、前記機械式駐車装置への入庫が可能か否かを判定する判定工程と、
を含む入庫支援方法。
【請求項１６】
機械式駐車装置へ入庫を行う車両の入庫支援プログラムであって、
車両側と通信を行い、前記車両の諸元情報を取得する通信処理と、
前記諸元情報に基づいて、前記機械式駐車装置への入庫が可能か否かを判定する判定処理と、
をコンピュータに実行させるための入庫支援プログラム。
【請求項１７】
機械式駐車装置へ入庫を行う車両の入庫支援方法であって、
前記車両を撮像することによって、前記車両の諸元情報を取得する撮像工程と、
前記諸元情報に基づいて、前記機械式駐車装置への入庫が可能か否かを判定する判定工程と、
を含む入庫支援方法。
【請求項１８】
機械式駐車装置へ入庫を行う車両の入庫支援プログラムであって、
前記車両を撮像することによって、前記車両の諸元情報を取得する撮像処理と、
前記諸元情報に基づいて、前記機械式駐車装置への入庫が可能か否かを判定する判定処理と、
をコンピュータに実行させるための入庫支援プログラム。
【発明の詳細な説明】
【技術分野】
【０００１】
本発明は、入庫支援システム、及びその入庫支援方法並びに入庫支援プログラム、機械式駐車装置に関するものである。
【背景技術】
【０００２】
機械式駐車装置では、車両寸法や車両重量等が予め決められた範囲内の車両のみが入庫可能とされている。このため、契約車両（予め入庫可能の判定がなされている車両）以外の車両の運転者等は、車両が機械式駐車装置に入庫可能か否かを判断しなければならなかった。特に、車両がシェアリングカーやレンタカー等であり所有物でない場合には、運転者は、車両を機械式駐車装置へ入庫する度に車両寸法や車両重量等を確認しなければならなかった。
【０００３】
そこで、特許文献１では、入口ゲートに寸法測定器と車重測定器を設け、車両の車両寸法や車両重量を測定することで、車両が機械式駐車装置に入庫可能か否かを判定することが開示されている。
【先行技術文献】
【特許文献】
【０００４】
【特許文献１】特許第２９３３４６５号公報
【発明の概要】
【発明が解決しようとする課題】
【０００５】
しかしながら、特許文献１では、機械式駐車装置側に寸法測定器と車重測定器を新たに設けなければならないため、装置の複雑化やコスト増大を招く恐れがある。
【０００６】
本発明は、このような事情に鑑みてなされたものであって、簡便な構成で車両の入庫可否を判断することのできる入庫支援システム、及びその入庫支援方法並びに入庫支援プログラム、機械式駐車装置を提供することを目的とする。
【課題を解決するための手段】
【０００７】
本発明の第１態様は、機械式駐車装置へ入庫を行う車両の入庫支援システムであって、車両側と通信を行い、前記車両の諸元情報を取得する通信部と、前記諸元情報に基づいて、前記機械式駐車装置への入庫が可能か否かを判定する判定部と、を備えた入庫支援システムである。
【０００８】
上記のような構成によれば、車両の諸元情報を自動的に取得することで、容易に車両が機械式駐車装置へ入庫可能か否かを判定することが可能となる。また、通信により車両の諸元情報を取得するため、寸法測定器や車重測定器といった測定装置を不要としつつ、入庫車両の運転者等の利便性を向上させることが可能となる。すなわち、簡便な構成で車両の入庫可否を判断することができる。なお、車両の諸元情報とは、車両の入庫適応性を判定可能な情報であり、例えば、車両寸法や車両重量、車種情報、車両の識別情報等である。
【０００９】
また、寸法測定器や車重測定器といった大型の装置を設ける必要がなく、簡便な構成で車両の入庫可否を判断することができるため、既存の機械式駐車装置に対しても、より簡便な工事のみで入庫支援システムを導入することが可能である。
【００１０】
上記入庫支援システムにおいて、前記通信部は、前記車両側と通信を行うことにより、前記車両が備える格納部に格納されている前記車両の前記諸元情報を取得することとしてもよい。
【００１１】
上記のような構成によれば、車両の諸元情報を容易に取得することが可能となる。
【００１２】
上記入庫支援システムにおいて、前記諸元情報には、車両寸法及び車両重量の少なくとも一方が含まれており、前記判定部は、前記諸元情報と、前記機械式駐車装置へ入庫可能な車両規格とに基づいて、前記車両の入庫の可否を判定することとしてもよい。
【００１３】
上記のような構成によれば、諸元情報として自動的に車両の車両寸法及び車両重量の少なくとも一方を取得することができるため、機械式駐車装置へ入庫可能な車両規格と比較することでより簡便かつ安全に車両の入庫可否を判定することができる。
【００１４】
上記入庫支援システムにおいて、前記諸元情報には、車種情報が含まれており、前記判定部は、前記諸元情報と、前記機械式駐車装置へ入庫可能な車種リストとに基づいて、前記車両の入庫の可否を判定することとしてもよい。
【００１５】
上記のような構成によれば、諸元情報として自動的に車種情報を取得することができるため、機械式駐車装置へ入庫可能な車種リストと比較することでより簡便かつ安全に車両の入庫可否を判定することができる。なお、車種情報とは、例えば、車両のメーカー名や車種名、型式、グレード等である。
【００１６】
上記入庫支援システムにおいて、前記諸元情報には、車種情報が含まれており、前記判定部は、前記車種情報から前記車両の車両寸法及び車両重量の少なくとも一方を特定し、前記機械式駐車装置へ入庫可能な車両規格に基づいて、前記車両の入庫の可否を判定することとしてもよい。
【００１７】
上記のような構成によれば、諸元情報として自動的に車種情報を取得することができるため、該車種情報から車両寸法及び車両重量の少なくとも一方を容易に特定することができ、機械式駐車装置へ入庫可能な車両規格と比較することでより簡便かつ安全に車両の入庫可否を判定することができる。
【００１８】
上記入庫支援システムにおいて、前記諸元情報には、前記車両の識別情報が含まれており、前記判定部は、前記識別情報に基づいて、前記車両の入庫の可否を判定することとしてもよい。
【００１９】
上記のような構成によれば、諸元情報として自動的に車両の識別情報を取得することができるため、容易に車両を特定して車両の入庫可否を判定することができる。なお、車両の識別情報とは、例えば、ナンバープレートの表示に係る情報や、車両毎に予め設定したＩＤ等である。
【００２０】
上記入庫支援システムにおいて、前記通信部は、前記判定部における判定結果を前記車両へ送信し、前記車両における通知手段に通知させることとしてもよい。
【００２１】
上記のような構成によれば、車両の運転者等は入庫の可否をより容易に認識することが可能となる。
【００２２】
上記入庫支援システムにおいて、前記判定部は、前記諸元情報に基づいて、前記車両が自動運転制御可能か否かを判定し、前記車両が自動運転制御可能である場合に、入庫可能と判定した前記機械式駐車装置まで前記車両を誘導する誘導制御信号を生成し、前記通信部は、前記誘導制御信号を前記車両へ送信することとしてもよい。
【００２３】
上記のような構成によれば、自動運転制御可能な車両であれば、誘導制御信号に基づいて入庫可能な機械式駐車装置まで誘導することができ、利便性を向上させることができる。
【００２４】
本発明の第２態様は、機械式駐車装置へ入庫を行う車両の入庫支援システムであって、前記車両を撮像することによって、前記車両の諸元情報を取得する撮像部と、前記諸元情報に基づいて、前記機械式駐車装置への入庫が可能か否かを判定する判定部と、を備えた入庫支援システムである。
【００２５】
上記のような構成によれば、車両の諸元情報を自動的に取得することで、容易に車両が機械式駐車装置へ入庫可能か否かを判定することが可能となる。また、撮像により車両の諸元情報を取得するため、寸法測定器や車重測定器といった測定装置を不要としつつ、入庫車両の運転者等の利便性を向上させることが可能となる。すなわち、簡便な構成で車両の入庫可否を判断することができる。また、撮像のみで車両の諸元情報を取得できるため、機械式駐車装置と車両とが通信可能でなくとも適応することができる。
【００２６】
また、寸法測定器や車重測定器といった大型の装置を設ける必要がなく、簡便な構成で車両の入庫可否を判断することができるため、既存の機械式駐車装置に対しても、より簡便な工事のみで入庫支援システムを導入することが可能である。
【００２７】
上記入庫支援システムにおいて、前記撮像部は、前記車両を撮像することにより、前記諸元情報として前記車両の識別情報を取得することとしてもよい。
【００２８】
上記のような構成によれば、諸元情報として自動的に車両の識別情報を取得することができるため、容易に車両を特定して車両の入庫可否を判定することができる。なお、車両の識別情報とは、例えば、ナンバープレートの表示に係る情報や、車両毎に予め設定したＩＤ等である。
【００２９】
上記入庫支援システムにおいて、前記判定部は、前記機械式駐車装置が複数設けられている場合に、前記諸元情報に基づいて、前記車両が入庫可能な前記機械式駐車装置を特定することとしてもよい。
【００３０】
上記のような構成によれば、例えば機械駐車装置が連機配置されている場合など、機械式駐車装置が複数設けられている場合であっても、入庫可能な機械式駐車装置を容易に特定することができる。
【００３１】
上記入庫支援システムにおいて、前記判定部は、前記機械式駐車装置が複数設けられている場合に、前記諸元情報に基づいて前記車両が入庫可能な前記機械式駐車装置を特定すると共に、前記識別情報に基づいて前記車両の入庫頻度を推定し、入庫頻度が所定値よりも高い場合には、特定した前記機械式駐車装置のうち前記車両に最も距離が近い前記機械式駐車装置を選定することとしてもよい。
【００３２】
上記のような構成によれば、入庫可能な機械式駐車装置が複数ある場合であっても、入庫頻度が高い車両に対しては、最も距離が近い機械式駐車装置を選定するため、入庫頻度が高い車両の入出庫時間の短縮等、利用者の利便性を向上させることが可能となる。
【００３３】
上記入庫支援システムにおいて、前記判定部における判定結果を通知する通知部を備えることとしてもよい。
【００３４】
上記のような構成によれば、車両の運転者等は入庫の可否を容易に認識することが可能となる。
【００３５】
本発明の第３態様は、上記の入庫支援システムを備えた機械式駐車装置である。
【００３６】
本発明の第４態様は、機械式駐車装置へ入庫を行う車両の入庫支援方法であって、車両側と通信を行い、前記車両の諸元情報を取得する通信工程と、前記諸元情報に基づいて、前記機械式駐車装置への入庫が可能か否かを判定する判定工程と、を含む入庫支援方法である。
【００３７】
本発明の第５態様は、機械式駐車装置へ入庫を行う車両の入庫支援プログラムであって、車両側と通信を行い、前記車両の諸元情報を取得する通信処理と、前記諸元情報に基づいて、前記機械式駐車装置への入庫が可能か否かを判定する判定処理と、をコンピュータに実行させるための入庫支援プログラムである。
【００３８】
本発明の第６態様は、機械式駐車装置へ入庫を行う車両の入庫支援方法であって、前記車両を撮像することによって、前記車両の諸元情報を取得する撮像工程と、前記諸元情報に基づいて、前記機械式駐車装置への入庫が可能か否かを判定する判定工程と、を含む入庫支援方法である。
【００３９】
本発明の第７態様は、機械式駐車装置へ入庫を行う車両の入庫支援プログラムであって、前記車両を撮像することによって、前記車両の諸元情報を取得する撮像処理と、前記諸元情報に基づいて、前記機械式駐車装置への入庫が可能か否かを判定する判定処理と、をコンピュータに実行させるための入庫支援プログラムである。
【発明の効果】
【００４０】
本発明によれば、簡便な構成で車両の入庫可否を判断することができるという効果を奏する。
【図面の簡単な説明】
【００４１】
【図１】本発明の第１実施形態に係る機械式駐車装置の外観図である。
【図２】本発明の第１実施形態に係る機械式駐車装置の縦断面図である。
【図３】本発明の第１実施形態に係る機械式駐車装置における乗降室の斜視透視図である。
【図４】本発明の第１実施形態に係る機械式駐車装置における操作盤の斜視図である。
【図５】本発明の第１実施形態に係る機械式駐車装置における通信部の配置例を示す図である。
【図６】本発明の第１実施形態に係る機械式駐車装置における制御装置が備える機能を示した機能ブロック図である。
【図７】本発明の第１実施形態に係る機械式駐車装置における入庫可否判定処理のフローを示した図である。
【図８】本発明の第５実施形態に係る複数の機械式駐車装置の配置例である。
【発明を実施するための形態】
【００４２】
〔第１実施形態〕
以下に、本発明の第１実施形態に係る入庫支援システム、及びその入庫支援方法並びに入庫支援プログラム、機械式駐車装置について、図面を参照して説明する。なお、入庫支援システムは、機械式駐車装置への入庫の可否を自動的に判定することで車両の入庫を支援するシステムであって、後述する通信部５４と判定部５３とを少なくとも含んで構成される。また、入庫支援システムは、入庫可能な車両が車両寸法等によって制限されている機械式駐車装置であれば幅広く適用できるものであって、以下に説明するようにエレベータ式の機械式駐車装置のみに限定されるものではない。
【００４３】
図１は、本実施形態に係る機械式駐車装置（立体駐車場）１０の外観図である。また、図２は、本実施形態に係る機械式駐車装置１０の縦断面図である。
機械式駐車装置１０では、駐車塔の地上に設けた乗入階１４における乗降室７から車両を入出庫させる。そして、機械式駐車装置１０では、搬送機によって、車両を載置したパレット１８を乗入階１４と車両を格納する格納庫３との間で昇降させることで車両を搬送（入出庫）する。具体的には、駐車塔の中心部には垂直な昇降通路１３が形成されており、この中にリフト１６（エレベータ状の搬送機）が上下に昇降可能に設けられている。リフト１６は、例えば駐車塔の上部に設けられた図示しないウインチから下方に延びる複数本のワイヤロープ１５に四隅を吊持され、上記ウインチが起動することにより昇降通路１３内を上下に昇降することができる。
【００４４】
一方、昇降通路１３の両側には格納棚１７（駐車スペース）が設けられている。この格納棚１７は、昇降通路１３を挟むようにして上下に多階層状に設けられており、それぞれの格納棚１７には車両を積載するためのパレット１８が１枚ずつ収容されている。リフト１６と格納棚１７の床面には、両者（リフト１６と格納棚１７）の床面の高さが一致した時に、空荷のパレット１８、または車両が積載されたパレット１８を、リフト１６から格納棚１７に、または格納棚１７からリフト１６に、スムーズに受け渡すことができる図示しない受渡機構が設けられている。
【００４５】
なお、図１及び図２に示す機械式駐車装置１０の構成は、一例であり、乗入階１４を格納庫３よりも上層とする等、他の構成であってもよい。すなわち、入庫支援システムが適用される機械式駐車装置は、入庫可能な車両の条件が予め設定されており、条件を満たす車両のみの入庫が許容される構成であれば、どのような構成でもよい。また、本実施形態では、車両を搬送する搬送機をパレット式として説明するが、コンベア式、くし歯式（フォーク式）等の他の構成を適用することも可能である。
【００４６】
乗入階１４には、車両の入庫及び出庫の少なくとも一方が行われる乗降室７が設けられている。図３は、乗降室７を示す斜視透視図である。入出庫扉４の左側に非常用出入口２０があり、入出庫扉４の上部に青と赤のランプを備えた入庫管制灯２１が設けられている。また、例えば入出庫扉４に向かって右側に操作盤２２が設けられている。操作盤２２は、機械式駐車装置１０に入庫する各車両の利用者（運転者等）により操作される。また、機械式駐車装置１０には、制御状態を示す三色灯２３が設けられている。
【００４７】
乗降室７の内部には、中央部に搬送機のパレット１８が配置されるスペースがあり、入出庫扉４の正面の壁には車両の位置を運転者が確認するための鏡２４と、「前進」、「停車」、「後退」等の案内を行う電光式の停車位置指示灯２５が設けられている。車両の方向を転換させるターンテーブル９によって、入庫のために乗降室７のパレット１８に停車された車両は、方向を例えば９０度旋回してから搬送機によって搬送される。また、乗降室７の内部各所には、乗降室７の内部における車両及び利用者等の人の存在等を検知するための複数のセンサ３０、及びカメラ３５設けられている。
【００４８】
図４は、操作盤２２の斜視図である。操作盤２２は、風雨からの保護と悪戯防止のために金属製の筐体４３に収容されており、筐体４３には施錠可能な蓋４４が設けられている。利用者が操作盤２２を操作する際には、施錠を解錠して蓋４４を開き、操作盤２２にアクセスする。なお、例えば利用者が携帯している専用リモコンに設けられたトランスポンダによって利用者の接近と共に自動的に蓋４４の施錠を解錠するようにしてもよい。
【００４９】
操作盤２２には、利用者が認証操作及び入出庫扉４の開閉、搬送機の起動といった機械操作を行うためのタッチパネル式の操作画面４５と、ＩＣカードやリモコン等の携帯型認証媒体から発信されるトランスポンダ信号等を読み込むためのリーダー４６と、利用者に操作方法を音声で案内するためのスピーカー４７と、非常停止ボタン４８等が配置されている。
【００５０】
また、乗降室７の外部には、車両（入庫を希望する車両）と信号の送受信を行う通信部５４が設置される。通信部５４は、車両側と通信を行い、車両の諸元情報を取得する。なお、本実施形態では、車両の諸元情報は、後述するように、車両が備える格納部（諸元情報格納部５７）に格納されているものとして説明するが、車両側（すなわち、機械式駐車装置１０側ではない）から車両の諸元情報を取得できれば、例えば車両の車載装置や運転者のモバイル端末（例えば、スマートフォン）等に車両の諸元情報が格納されていてもよい。
【００５１】
車両の諸元情報とは、車両の入庫適応性を判定可能な情報であり、例えば、車両寸法や車両重量、車種情報、車両の識別情報等である。車種情報とは、例えば、車両のメーカー名や車種名、型式、グレード等であり、車種が特定可能な情報である。車両の識別情報とは、例えば、ナンバープレートの表示に係る情報や、車両毎に予め設定したＩＤ等であり、車両が特定可能な情報である。車両の諸元情報には、車両寸法、車両重量、車種情報、及び車両の識別情報の少なくとも１つが含まれていればよい。本実施形態では、車両の諸元情報として、車両寸法及び車両重量が含まれている場合について説明する。
【００５２】
通信部５４は、例えばＤＳＲＣアンテナであり、車両と通信が可能なように配置されている。図５に、通信部５４の配置例を示す。なお、通信部５４の配置位置については、車両と通信が可能であれば、図５に示す配置位置に限定されない。ＤＳＲＣアンテナは、車両との間で例えばＤＳＲＣ（Ｄｅｄｉｃａｔｅｄ  Ｓｈｏｒｔ  Ｒａｎｇｅ  Ｃｏｍｍｕｎｉｃａｔｉｏｎｓ）による狭域通信を行う。狭域通信により、信号の送受信を行う車両が限定されるため、通信対象でない車両との信号の送受信が防止される。なお、機械式駐車装置１０と車両との通信方式については、これに限定されるものではなく、信号の送受信をＷｉ−Ｆｉ（登録商標）やブルートゥース（Ｂｌｕｅ  ｔｏｏｔｈ（登録商標））、またはＬＴＥ通信網のような無線通信網等などを適用することとしてもよい。
【００５３】
図６は、機械式駐車装置１０の制御装置５０が備える機能を示した機能ブロック図である。制御装置５０は、機械式駐車装置１０の入出庫動作を制御する。また、制御装置５０は、入庫を希望する車両の入庫の可否を判定する。
【００５４】
制御装置５０は、例えば、図示しないＣＰＵ（中央演算装置）、ＲＡＭ（Ｒａｎｄｏｍ  Ａｃｃｅｓｓ  Ｍｅｍｏｒｙ）等のメモリ、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００５５】
図６に示すように、制御装置５０は、入出庫制御部５１と、記憶部５２と、判定部５３とを備えている。なお、本実施形態では、判定部５３を、入出庫制御部５１と同一の制御装置内に設けることとしているが、入出庫制御部５１とは独立した装置として設けることとしてもよい。
【００５６】
入出庫制御部５１は、各種モータ（不図示）を制御することによって、車両を搬送する搬送機や乗降室７における入出庫扉４を駆動させる。具体的には、入出庫制御部５１は、車両の入庫予約が入った場合に、空きのパレット１８を格納棚１７から引き抜き、乗降室７に配置する。そして、車両が乗降室７前に到着し、操作盤２２により出入口の開が入力された場合に、入出庫扉４を開く。そして、車両がパレット１８に載置され、乗降室７内の安全が確認され、安全確認ボタンが押圧された後に、入出庫扉４を閉じ、車両を乗降室７から格納庫３へ搬送する。また、入出庫制御部５１は、車両の出庫予約が入った場合に、出庫車両が載置されたパレット１８を格納棚１７から乗降室７へ搬送する。そして、出庫予約をした利用者が乗降室７前に到着し、操作盤２２により出入口の開が入力された場合に、入出庫扉４を開く。そして、車両が乗降室７から出庫され、乗降室７内の安全が確認され、安全確認ボタンが押圧された後に、入出庫扉４を閉じ、出庫車両が載置されていたパレット１８を格納棚１７へ搬送する。
【００５７】
記憶部５２には、通信部５４により取得した車両の諸元情報と比較して、車両の入庫の可否判定を行うための情報（入庫可否判定情報）が格納されている。本実施形態では、記憶部５２には、機械式駐車装置１０へ入庫可能な車両の基準を示す車両規格が格納されている。具体的には、車両規格とは、入庫可能な車両の最大許容寸法（例えば、車高、車幅、全長）や、入庫可能な車両の最大許容重量である。後述する判定部５３において、記憶部５２に格納した車両の車両規格を参照することによって、車両が入庫可能か否かを容易に判定することが可能となる。なお、判定部５３において、インターネット等を通じて車両規格をダウンロードする場合には、記憶部５２を不要としてもよい。
【００５８】
判定部５３は、取得した車両の諸元情報に基づいて、機械式駐車装置１０への入庫が可能か否かを判定する。具体的には、判定部５３は、車両の諸元情報と、機械式駐車装置１０へ入庫可能な車両規格とに基づいて、車両の入庫の可否を判定する。
【００５９】
判定部５３には、通信部５４によって受信した車両の諸元情報が入力される。そして、判定部５３は、記憶部５２から車両規格を読み出し、車両の諸元情報と車両規格を比較する。すなわち、判定部５３は、車両の諸元情報として取得した車両寸法及び車両重量と、車両規格（最大許容寸法及び最大許容重量）とを比較し、取得した車両寸法が最大許容寸法以下であり、かつ、車両重量が最大許容重量以下である場合に、車両の入庫は可能であると判定する。
【００６０】
また、判定部５３は、取得した車両寸法が最大許容寸法より大きい場合、及び車両重量が最大許容重量より大きい場合の少なくともいずれか一方が満たされた場合（車両寸法が最大許容寸法以下であり、かつ、車両重量が最大許容重量以下である場合でない場合）には、車両の入庫は不可能であると判定する。
【００６１】
判定部５３における車両の入庫可否に係る判定結果は、例えば、乗降室７の外部の車両の運転者が視認可能な位置に設けた表示装置（通知部）に、例えば、「入庫可」または「入庫不可」等と表示される。なお、音声等によって通知することとしてもよい。
【００６２】
また、判定部５３における車両の入庫可否に係る判定結果を、通信部５４によって車両側へ送信し、車両における通知手段に通知させることとしてもよい。車両側の通知手段とは、例えば、車両に備えられたカーナビゲーションシステムのディスプレイといったユーザーインターフェースや、車両の運転者が使用するスマートフォン等である。なお、車両におけるスピーカーによって音声で通知を行うこととしてもよい。
【００６３】
機械式駐車装置１０への入庫が可能と判定された車両の運転者は、表示装置等によって入庫が可能なことを認識した後、操作盤２２等を介して入庫予約を行い、機械式駐車装置１０へ車両を入庫させる。
【００６４】
次に、入庫支援システムによって入庫可否判定が行われる車両について説明する。図６に示すように、車両は、諸元情報格納部５７と、車両側通信部５６とを備えている。
【００６５】
諸元情報格納部５７は、車両寸法や車両重量、車種情報、車両の識別情報等の車両の諸元情報を格納している。本実施形態において、諸元情報格納部５７に格納されている諸元情報は、車両寸法及び車両重量を含んでいるものとする。諸元情報は、車両の仕様がまとめられた情報であり、例えば、車両の製造時や、車検時において取得されて諸元情報格納部５７に格納される。諸元情報格納部５７に格納された諸元情報は、車両の入庫を行う場合に車両側通信部５６を介して機械式駐車装置１０へ送信される。
【００６６】
なお、諸元情報である車両重量については、車両の機能として荷物等の積載物を含んだ重量を取得可能な場合には、積載物を含んだ重量を車両重量として格納しておくことが好ましい。これにより、機械式駐車装置１０に入庫される車両の重量として、荷物等の積載物を加味することができるため、機械式駐車装置１０の判定部５３において、より正確な車両重量を用いて入庫の可否を判定することが可能となる。
【００６７】
なお、車両が備える諸元情報格納部５７に諸元情報が格納される場合について説明したが、機械式駐車装置１０において車両側（すなわち、機械式駐車装置１０側ではない）から車両の諸元情報を取得できれば、例えば車両の車載装置や運転者のモバイル端末（例えば、スマートフォン）等に車両の諸元情報が格納されていてもよい。
【００６８】
車両側通信部５６は、機械式駐車装置１０における通信部５４と通信が可能とされており、通信部５４との間で情報の送受を行う。車両側通信部５６は、諸元情報格納部５７に格納されている車両の諸元情報を機械式駐車装置１０へ送信する。車両側通信部５６は、一例として、ＤＳＲＣによる信号の送受信が可能なＥＴＣ車載器であるが、これに限らず、ＤＳＲＣによる通信機能を有するカーナビゲーション装置等であってもよい。
【００６９】
このようにして、車両側に格納されている諸元情報を通信によって機械式駐車装置１０が取得するため、車両寸法や車両重量といった入庫可否の判定に用いる情報を容易に取得することが可能となる。
【００７０】
次に、本実施形態における入庫可否判定処理について、図７を用いて説明する。図７では、左側に機械式駐車装置１０における処理を示し、右側に車両における処理を示している。
【００７１】
まず、入庫を希望する車両が、機械式駐車装置１０との通信が可能なエリア（通信部５４による通信が可能な範囲）に到達すると、車両から機械式駐車装置１０へ、入庫可否判定の問合せが行われる（ＣＳ１０１）。
【００７２】
そして、機械式駐車装置１０では、車両から入庫可否判定の問合せを受信すると、入庫可否判定処理を開始し、車両へ諸元情報送信依頼を送信する（ＰＳ１０１）。
【００７３】
車両では、諸元情報送信依頼を受信すると、予め格納されている諸元情報を機械式駐車装置１０へ送信する（ＣＳ１０２）。
【００７４】
機械式駐車装置１０では、車両から諸元情報を取得すると、予め格納されている車両規格との比較し入庫可否判定を行う（ＰＳ１０２）。具体的には、車両の諸元情報として取得した車両寸法及び車両重量が、車両規格である最大許容寸法及び最大許容重量以下であるか否かを判定する。
【００７５】
取得した車両寸法が最大許容寸法以下であり、かつ、車両重量が最大許容重量以下である場合の場合には、判定結果を入庫可能とする。
【００７６】
取得した車両寸法が最大許容寸法より大きい場合、または車両重量が最大許容重量より大きい場合には、判定結果を入庫不可能とする。
【００７７】
そして、機械式駐車装置１０では、判定結果を、乗降室７の外部に設けた表示装置に表示すると共に車両へ送信する（ＰＳ１０３）。
【００７８】
車両では、判定結果を受信すると、例えば、車両に設けられたカーナビゲーションシステムのディスプレイに判定結果を表示する（ＣＳ１０３）。乗降室７の外部に設けられた表示装置または車両に設けられたカーナビゲーションシステムのディスプレイに表示された判定結果を確認した車両の運転者は、判定結果が入庫可能である場合には機械式駐車装置１０への入庫手続を進め、入庫を行う。判定結果が入庫不可能である場合には、車両の運転者は、入庫できないことを認識して機械式駐車装置１０への入庫を諦める。
【００７９】
なお、本実施形態では、車両から車両の諸元情報として、車両の車両寸法及び車両重量の両方を取得し、車両規格（最大許容寸法及び最大許容重量）と比較することとしているが、車両の車両寸法及び車両重量のいずれか一方を取得し、車両規格（最大許容寸法または最大許容重量）と比較することとしてもよい。
【００８０】
以上説明したように、本実施形態に係る入庫支援システム、及びその入庫支援方法並びに入庫支援プログラム、機械式駐車装置によれば、車両の諸元情報を自動的に取得することで、容易に車両が機械式駐車装置１０へ入庫可能か否かを判定することが可能となる。また、通信により車両の諸元情報を取得するため、寸法測定器や車重測定器といった測定装置を不要としつつ、入庫車両の運転者等の利便性を向上させることが可能となる。すなわち、簡便な構成で車両の入庫可否を判断することができる。
【００８１】
また、寸法測定器や車重測定器といった大型の装置を設ける必要がなく、簡便な構成で車両の入庫可否を判断することができるため、既存の機械式駐車装置１０に対してもより簡便な工事のみで入庫支援システムを導入することが可能である。
【００８２】
また、諸元情報として自動的に車両の車両寸法及び車両重量の少なくとも一方を取得することができるため、機械式駐車装置１０へ入庫可能な車両規格と比較することでより簡便かつ安全に車両の入庫可否を判定することができる。
【００８３】
〔第２実施形態〕
次に、本発明の第２実施形態に係る入庫支援システム、及びその入庫支援方法並びに入庫支援プログラム、機械式駐車装置１０について説明する。
上述した第１実施形態では、車両の諸元情報として車両寸法と車両重量を用い、判定部５３において、機械式駐車装置１０へ入庫可能な車両規格と比較することによって、車両の入庫可否を判定する場合について説明したが、本実施形態では、諸元情報として車種情報を車両から取得し、判定部５３において、該車種情報に基づいて車両の入庫可否を判定する場合について説明する。以下、本実施形態に係る機械式駐車装置１０について、第１実施形態と異なる点について主に説明する。
【００８４】
記憶部５２には、車両の諸元情報と比較して車両の入庫の可否判定を行うための情報として、機械式駐車装置１０へ入庫可能な車種リストが格納されている。車種リストとは、機械式駐車装置１０へ入庫可能な車両の最大許容寸法（例えば、車高、車幅、全長）や、入庫可能な車両の最大許容重量等の条件を満たす車両がリスト化された情報であり、車種リストに該当する車両は入庫可能であることを意味する。車種リストは、例えば、車両のメーカー名や車種名、型式、グレード等の車両の仕様が特定可能な項目に基づいて、入庫可能な車両がリストアップされている。
【００８５】
判定部５３には、通信部５４によって受信した車両の諸元情報（本実施形態では車種情報）が入力される。そして、判定部５３は、記憶部５２から車種リストを読み出し、車両の諸元情報と車種リストを比較する。すなわち、判定部５３は、車両の諸元情報として取得した車種情報の車両が、車種リストに挙げられた車両に該当する場合に、車両の入庫は可能であると判定する。また、車両の諸元情報として取得した車種情報の車両が、車種リストに挙げられた車両に該当しない場合に、車両の入庫は不可能であると判定する。
【００８６】
車両が備える諸元情報格納部５７は、車両の諸元情報として車種情報を格納している。車種情報とは、例えば、車両のメーカー名や車種名、型式、グレード等であり、車両の仕様が特定可能な情報である。諸元情報格納部５７に格納された諸元情報は、車両の入庫を行う場合に車両側通信部５６を介して機械式駐車装置１０へ送信される。
【００８７】
以上説明したように、本実施形態に係る入庫支援システム、及びその入庫支援方法並びに入庫支援プログラム、機械式駐車装置１０によれば、諸元情報として自動的に車種情報を取得することができるため、機械式駐車装置１０へ入庫可能な車種リストと比較することでより簡便かつ安全に車両の入庫可否を判定することができる。
【００８８】
〔第３実施形態〕
次に、本発明の第３実施形態に係る入庫支援システム、及びその入庫支援方法並びに入庫支援プログラム、機械式駐車装置１０について説明する。
上述した第２実施形態では、諸元情報として車種情報を車両から取得し、判定部５３において該車種情報と車種リストとに基づいて車両の入庫可否を判定する場合について説明したが、本実施形態では、諸元情報として車種情報を車両から取得し、判定部５３において該車種情報と車両規格とに基づいて車両の入庫可否を判定する場合について説明する。以下、本実施形態に係る機械式駐車装置１０について、特に第２実施形態と異なる点について主に説明する。
【００８９】
本実施形態における制御装置５０が備える記憶部５２には、車両の諸元情報と比較して車両の入庫の可否判定を行うための情報として、機械式駐車装置１０へ入庫可能な車両の基準を示す車両規格が格納されている。車両規格とは、入庫可能な車両の最大許容寸法（例えば、車高、車幅、全長）や、入庫可能な車両の最大許容重量が示された情報である。
【００９０】
また、記憶部５２には、車種情報と車両の車両寸法及び車両重量とが対応付けられた対応リストを格納している。対応リストには、車両のメーカー名や車種名、型式、グレード等といった項目別に、車両の車両寸法及び車両重量が対応づけられている。
【００９１】
判定部５３は、通信部５４によって受信した車両の諸元情報（本実施形態では車種情報）が入力され、記憶部５２に格納されている対応リストに基づいて、車種情報から車両の車両寸法及び車両重量を特定する。そして、判定部５３は、記憶部５２から車両規格を読み出し、車両の諸元情報と車両規格とを比較する。すなわち、判定部５３は、車両の諸元情報として取得した車両寸法及び車両重量と、車両規格（最大許容寸法及び最大許容重量）とを比較し、特定した車両寸法が最大許容寸法以下であり、かつ、車両重量が最大許容重量以下である場合に、車両の入庫は可能であると判定する。
【００９２】
車両が備える諸元情報格納部５７は、車両の諸元情報として車種情報を格納している。諸元情報格納部５７に格納された諸元情報は、車両の入庫を行う場合に車両側通信部５６を介して機械式駐車装置１０へ送信される。
【００９３】
なお、本実施形態では、車両の諸元情報から車両の車両寸法及び車両重量の両方を特定し、車両規格（最大許容寸法及び最大許容重量）と比較することとしているが、車両の車両寸法及び車両重量のいずれか一方を特定し、車両規格（最大許容寸法または最大許容重量）と比較することとしてもよい。
【００９４】
以上説明したように、本実施形態に係る入庫支援システム、及びその入庫支援方法並びに入庫支援プログラム、機械式駐車装置１０によれば、諸元情報として自動的に車種情報を取得することができるため、該車種情報から車両寸法及び車両重量の少なくとも一方を容易に特定することができ、機械式駐車装置１０へ入庫可能な車両規格と比較することでより簡便かつ安全に車両の入庫可否を判定することができる。
【００９５】
〔第４実施形態〕
次に、本発明の第４実施形態に係る入庫支援システム、及びその入庫支援方法並びに入庫支援プログラム、機械式駐車装置１０について説明する。
上述した第１実施形態では、車両の諸元情報として車両寸法と車両重量を用い、判定部５３において、機械式駐車装置１０へ入庫可能な車両規格と比較することによって、車両の入庫可否を判定する場合について説明したが、本実施形態では、諸元情報として車両の識別情報を車両から取得し、判定部５３において該識別情報に基づいて車両の入庫可否を判定する場合について説明する。以下、本実施形態に係る機械式駐車装置１０について、特に第１実施形態と異なる点について主に説明する。
【００９６】
本実施形態における制御装置５０が備える記憶部５２には、車両の諸元情報と比較して車両の入庫の可否判定を行うための情報として、機械式駐車装置１０へ入庫可能な車両リスト（識別情報のリスト）が格納されている。車両リストとは、機械式駐車装置１０へ入庫可能なことが予め登録された車両の識別情報のリストであり、車種リストに該当する車両は入庫可能であることを意味する。識別情報は、例えば、ナンバープレートの表示に係る情報や、車両毎に予め設定したＩＤ等の車両が特定可能な情報である。例えば、前回入庫が可能とされた車両の識別情報を次回の入庫に備えて格納しておいてもよいし、製造時や車検時の車両寸法及び車両重量によって入庫可能な車両の識別情報を予め登録しておいてもよい。
【００９７】
判定部５３には、通信部５４によって受信した車両の諸元情報（本実施形態では車両の識別情報）が入力される。そして、判定部５３は、記憶部５２から車両リストを読み出し、車両の諸元情報と車両リストを比較する。すなわち、判定部５３は、車両の諸元情報として取得した識別情報が、車両リストに挙げられた車両に該当する場合に、車両の入庫は可能であると判定する。また、車両の諸元情報として取得した識別情報が、車両リストに挙げられた車両に該当しない場合に、車両の入庫は可能であると判定する。
【００９８】
車両が備える諸元情報格納部５７は、車両の諸元情報として識別情報を格納している。識別情報とは、例えば、ナンバープレートの表示に係る情報や、車両毎に予め設定したＩＤ等の車両が特定可能な情報である。諸元情報格納部５７に格納された諸元情報は、車両の入庫を行う場合に車両側通信部５６を介して機械式駐車装置１０へ送信される。
【００９９】
なお、記憶部５２に車両規格を格納しておき、判定部５３では、車両の諸元情報から車両の車両寸法及び車両重量を特定して車両規格と比較することにより、入庫可否を判定することとしてもよい。
【０１００】
以上説明したように、本実施形態に係る入庫支援システム、及びその入庫支援方法並びに入庫支援プログラム、機械式駐車装置１０によれば、諸元情報として自動的に車両の識別情報を取得することができるため、容易に車両を特定して車両の入庫可否を判定することができる。
【０１０１】
〔第５実施形態〕
次に、本発明の第５実施形態に係る入庫支援システム、及びその入庫支援方法並びに入庫支援プログラム、機械式駐車装置１０について説明する。
本実施形態では、機械式駐車装置１０が複数設けられている場合について説明する。機械式駐車装置１０が複数設けられている場合とは、例えば、複数の機械式駐車装置１０が連機されている場合である。複数の機械式駐車装置１０には、それぞれ入庫可能な車両の条件が設定されているものとする。以下、本実施形態に係る機械式駐車装置１０について、特に第１実施形態と異なる点について主に説明する。
【０１０２】
本実施形態では、図８に示すように、３機の機械式駐車装置１０Ａ〜１０Ｃが連機されている場合について説明する。なお、以下の説明では、連機された機械式駐車装置１０をそれぞれ区別する場合には、機械式駐車装置１０Ａ、機械式駐車装置１０Ｂ、機械式駐車装置１０Ｃと符号を付し、区別しない場合には、機械式駐車装置１０と符号を付して説明する。
【０１０３】
本実施形態における制御装置５０が備える記憶部５２には、車両の諸元情報と比較して車両の入庫の可否判定を行うための情報が各機械式駐車装置１０に対応して格納されている。例えば、記憶部５２には、各機械式駐車装置１０において車両の入庫可否判定を行うための情報として、車両の車両規格、車種リスト、及び車両リスト等が格納されている。すなわち、記憶部５２に格納されている情報を参照することによって、車両がどの機械式駐車装置１０に入庫可能であるかを判定することができる。本実施形態では、記憶部５２には、各機械式駐車装置１０に対応した車両規格（最大許容寸法及び最大許容重量）が格納されている場合について説明するが、車種リストまたは車両リストとしてもよい。
【０１０４】
判定部５３には、通信部５４によって受信した車両の諸元情報が入力される。諸元情報とは、例えば車両寸法、車両重量、車種情報、及び車両の識別情報であり、本実施形態では、諸元情報には車両寸法及び車両重量が含まれているものとする。判定部５３は、車両の諸元情報（車両寸法及び車両重量）と記憶部５２に格納されている車両規格（最大許容寸法及び最大許容重量）とを比較する。すなわち、判定部５３は、車両から取得した諸元情報が車両規格に適合する場合に、車両の入庫は可能であると判定する。そして、判定部５３は、車両が入庫可能な機械式駐車装置１０を特定する。すなわち、判定部５３は、入庫が可能と判定された機械式駐車装置１０が複数ある場合には、入庫可能なすべての機械式駐車装置１０を特定する。
【０１０５】
判定部５３における判定結果、すなわち、特定した車両が入庫可能な機械式駐車装置１０の情報（入庫可能な機械式駐車装置１０の番号や位置等）は、例えば、乗降室７の外部に設けた表示装置（通知部）に表示される。また、判定結果は、通信部５４によって車両側へ送信し、車両における通知手段に通知させることとしてもよい。すなわち、判定結果が車両の運転者へ通知されるため、運転者は、どの機械式駐車装置１０へ入庫が可能かを容易に認識することが可能となる。
【０１０６】
例えば、判定部５３において、機械式駐車装置１０Ａ及び機械式駐車装置１０Ｃの入庫が可能と判定された場合（機械式駐車装置１０Ｂの入庫は不可能と判定された場合）には、機械式駐車装置１０Ａの装置番号（例えば、１号機）と配置位置（マップ情報）、及び機械式駐車装置１０Ｃの装置番号（例えば、３号機）と配置位置が、乗降室７の外部に設けた表示装置や車両側の通知手段によって運転者へ通知される。運転者は、入庫が可能な機械式駐車装置１０を確認し、入庫を行う。
【０１０７】
なお、判定部５３においては、諸元情報に基づいて車両が入庫可能な機械式駐車装置１０を特定すると共に、諸元情報に車両の識別情報が含まれている場合に、識別情報に基づいて車両の入庫頻度を推定し、入庫頻度が所定値よりも高い場合には、特定した機械式駐車装置１０のうち車両に最も距離が近い機械式駐車装置１０を選定することとしてもよい。諸元情報に車両の識別情報が含まれている場合には、該車両の過去の入庫履歴を参照することによって、入庫頻度（過去所定期間内における入庫回数）を推定することが可能である。このため、入庫頻度が所定値よりも高く、入庫頻度が高い車両であることが推定される場合には、入庫可能な機械式駐車装置１０のうち、車両に最も距離が近い機械式駐車装置１０を選定することで、利用者の利便性を向上させることが可能となる。なお、所定値とは、例えば入庫頻度が高いと想定される頻度として予め設定されてもよいし、過去所定期間内に入庫した各車両の入庫頻度の平均値に基づいて決定することとしてもよい。
【０１０８】
例えば、判定部５３において、機械式駐車装置１０Ａ及び機械式駐車装置１０Ｃの入庫が可能と判定された場合には、車両の入庫頻度を推定し、入庫頻度が所定値よりも高い場合には、機械式駐車装置１０Ａ及び機械式駐車装置１０Ｃのうち車両に最も距離が近い機械式駐車装置１０（図８の例の場合には機械式駐車装置１０Ａ）を選定する。そして、選定された機械式駐車装置１０の装置番号と配置位置を運転者へ通知する。運転者は、該通知を確認してより距離の近い機械式駐車装置１０へ入庫を行う。
【０１０９】
また、判定部５３においては、諸元情報に基づいて車両が入庫可能な機械式駐車装置１０を特定すると共に、諸元情報に車両の識別情報が含まれている場合に、車両の用途を特定し、用途に応じて機械式駐車装置１０を選定することとしてもよい。車両の用途とは、例えば、公用車や社用車（作業車等）、私用車などである。すなわち、判定部５３は、入庫可能と判定した機械式駐車装置１０の中で、用途に応じて機械式駐車装置１０を選定する。例えば、公用車は機械式駐車装置１０Ａに入庫することが優先されている場合に、用途が公用車の車両の入庫可否判定を行う際、機械式駐車装置１０Ａ及び機械式駐車装置１０Ｃの入庫が可能と判定された場合には、判定部５３は、入庫可能な機械式駐車装置１０として機械式駐車装置１０Ａを選定する。選定された機械式駐車装置１０の装置番号と配置位置は運転者へ通知され、運転者は、該通知を確認して機械式駐車装置１０へ入庫を行うことが可能となる。
【０１１０】
以上説明したように、本実施形態に係る入庫支援システム、及びその入庫支援方法並びに入庫支援プログラム、機械式駐車装置１０によれば、例えば機械駐車装置が連機配置されている場合など、機械式駐車装置１０が複数設けられている場合であっても、入庫可能な機械式駐車装置１０を容易に特定することができる。また、入庫可能な機械式駐車装置１０が複数ある場合であっても、入庫頻度が高い車両に対しては、最も距離が近い機械式駐車装置１０を選定するため、入庫頻度が高い車両の入出庫時間の短縮等、利用者の利便性を向上させることが可能となる。
【０１１１】
〔第６実施形態〕
次に、本発明の第６実施形態に係る入庫支援システム、及びその入庫支援方法並びに入庫支援プログラム、機械式駐車装置１０について説明する。
本実施形態では、入庫を希望する車両が自動運転車両である場合について説明する。自動運転車両とは、機械式駐車装置１０からの信号によって自動運転制御が可能な車両である。以下、本実施形態に係る機械式駐車装置１０について、第１実施形態、第２実施形態、第３実施形態、第４実施形態、及び第５実施形態と異なる点について主に説明する。
【０１１２】
本実施形態における制御装置５０が備える記憶部５２には、車両の諸元情報と比較して、該車両が自動運転制御可能か否かを判定可能な情報が格納されている。例えば、記憶部５２には、諸元情報に含まれる車種情報と自動運転車両とを対応づけた表等が格納される。なお、諸元情報に、車両が自動運転車両か否かの情報自体が含まれることとしてもよい。
【０１１３】
判定部５３には、通信部５４によって受信した車両の諸元情報が入力される。そして、判定部５３は、車両の諸元情報と記憶部５２に格納されている情報に基づいて、車両が自動運転制御可能か否かを判定する。そして、判定部５３は、車両が自動運転制御が可能である場合には、入庫可能と判定した機械式駐車装置１０まで車両を誘導する誘導制御信号を生成する。誘導制御信号は、車両の現在の位置から、入庫可能な機械式駐車装置１０の乗降室７の前まで、車両を自動運転制御する信号である。誘導制御信号は、通信部５４によって車両側へ送信され自動運転制御が実行される。すなわち、自動的に入庫可能な機械式駐車装置１０の特定及び入庫可能な機械式駐車装置１０までの移動が実行される。
【０１１４】
以上説明したように、本実施形態に係る入庫支援システム、及びその入庫支援方法並びに入庫支援プログラム、機械式駐車装置１０によれば、自動運転制御可能な車両であれば、誘導制御信号に基づいて入庫可能な機械式駐車装置１０まで誘導することができ、利便性を向上させることができる。
【０１１５】
〔第７実施形態〕
次に、本発明の第７実施形態に係る入庫支援システム、及びその入庫支援方法並びに入庫支援プログラム、機械式駐車装置１０について説明する。
上述した第１実施形態では、通信部５４によって車両の諸元情報を取得する場合について説明したが、本実施形態では、車両が通信機能を有さず、撮像によって車両の諸元情報を取得する場合について説明する。すなわち、本実施形態に係る入庫支援システムは、撮像部と判定部５３を含んで構成される。以下、本実施形態に係る機械式駐車装置１０について、特に第１実施形態、及び第４実施形態と異なる点について主に説明する。
【０１１６】
本実施形態における乗降室７の外部には、車両（入庫を希望する車両）の撮像を行う撮像部が設けられている。撮像部は、車両を撮像することによって、車両の諸元情報を取得する。本実施形態では、撮像部は、諸元情報として車両の識別情報（例えば、ナンバープレート）を取得する場合について説明する。しかしながら、撮像によって、車両寸法等の情報を取得することとしてもよい。撮像部において取得された諸元情報は、判定部５３へ出力される。
【０１１７】
記憶部５２には、車両の諸元情報と比較して車両の入庫の可否判定を行うための情報として、機械式駐車装置１０へ入庫可能な車両リスト（識別情報のリスト）が格納されている。
【０１１８】
判定部５３には、撮像部によって取得した車両の諸元情報（本実施形態では車両の識別情報）が入力される。そして、判定部５３は、記憶部５２から車両リストを読み出し、車両の諸元情報と車両リストを比較する。すなわち、４３は、車両の諸元情報として取得した識別情報が、車両リストに挙げられた車両に該当する場合に、車両の入庫は可能であると判定する。また、車両の諸元情報として取得した識別情報が、車両リストに挙げられた車両に該当しない場合に、車両の入庫は可能であると判定する。
【０１１９】
以上説明したように、本実施形態に係る入庫支援システム、及びその入庫支援方法並びに入庫支援プログラム、機械式駐車装置１０によれば、車両の諸元情報を自動的に取得することで、容易に車両が機械式駐車装置１０へ入庫可能か否かを判定することが可能となる。また、撮像により車両の諸元情報を取得するため、寸法測定器や車重測定器といった測定装置を不要としつつ、入庫車両の運転者等の利便性を向上させることが可能となる。すなわち、簡便な構成で車両の入庫可否を判断することができる。また、撮像のみで車両の諸元情報を取得できるため、機械式駐車装置１０と車両とが通信可能でなくとも適応することができる。
【０１２０】
また、寸法測定器や車重測定器といった大型の装置を設ける必要がなく、簡便な構成で車両の入庫可否を判断することができるため、既存の機械式駐車装置１０に対しても、より簡便な工事のみで入庫支援システムを導入することが可能である。
【０１２１】
本発明は、上述の実施形態のみに限定されるものではなく、発明の要旨を逸脱しない範囲において、種々変形実施が可能である。なお、各実施形態を組み合わせることも可能である。
【０１２２】
例えば、上記実施形態では、車両の諸元情報として、車両寸法や車両重量、車種情報、車両の識別情報を用いる場合について説明しているが、入庫適応性を判定可能な情報であれば、上記に限られず適用することが可能である。上記実施形態では、諸元情報として車両寸法及び車両重量の両方を用いる場合について説明しているが、車両寸法及び車両重量のいずれか一方のみが機械式駐車装置１０の入庫条件となっている場合には、車両寸法及び車両重量のいずれか一方のみを用いることしてもよい。また、各実施形態では、車両から取得する諸元情報（車両寸法や車両重量、車種情報、車両の識別情報等）と、判定部５３において比較する情報（車両規格、車種リスト、車両リスト等）とを対応付けて説明しているが、比較に用いる情報（車両規格、車種リスト、車両リスト等）のすべてを記憶部５２に記憶しておき、車両から取得できた諸元情報に合わせて適宜比較に用いる情報を選択することとしてもよい。
【０１２３】
また、各実施形態では、機械式駐車装置１０をエレベータ式として説明したが、平面往復方式、垂直循環方式、多層階循環方式、水平循環方式、エレベータ・スライド方式、二・多段方式（ピット式）、二・多段方式（横行乗降式）等さまざまな方式の機械式駐車装置とすることが可能である。
【符号の説明】
【０１２４】
３      ：格納庫
４      ：入出庫扉
７      ：乗降室
９      ：ターンテーブル
１０（１０Ａ〜１０Ｃ）：機械式駐車装置
１３    ：昇降通路
１４    ：乗入階
１５    ：ワイヤロープ
１６    ：リフト
１７    ：格納棚
１８    ：パレット
２０    ：非常用出入口
２１    ：入庫管制灯
２２    ：操作盤
２３    ：三色灯
２４    ：鏡
２５    ：停車位置指示灯
３０    ：センサ
３５    ：カメラ
４３    ：筐体
４４    ：蓋
４５    ：操作画面
４６    ：リーダー
４７    ：スピーカー
４８    ：非常停止ボタン
５０    ：制御装置
５１    ：入出庫制御部
５２    ：記憶部
５３    ：判定部
５４    ：通信部
５６    ：車両側通信部
５７    ：諸元情報格納部
【図１】
2020041288.tif 000003
【図２】
2020041288.tif 000004
【図３】
2020041288.tif 000005
【図４】
2020041288.tif 000006
【図５】
2020041288.tif 000007
【図６】
2020041288.tif 000008
【図７】
2020041288.tif 000009
【図８】
2020041288.tif 000010